(57)【要約】【課題】  ベースに平行定規を装着しない状態でも平行定規装着用のレバーが邪魔になることがなく、良好な使い勝手を確保可能とする。【解決手段】  ベース２の左側辺側の装着部１８には、平行定規の連結バーを押圧固定するロック機構２０が設けられる。このロック機構２０は、装着部１８に差し込まれた連結バーを押圧固定するロックネジ２１と、そのロックネジ２１を回転操作するレバー２２と、ロックネジ２１をねじ込み方向と反対方向へ回転付勢するトーションスプリング２３とからなり、装着部１８に連結バーを押圧固定しない状態では、レバー２２は、トーションスプリング２３により平面視でベース２の側辺よりも内側となる収納位置に回転付勢される。【選択図】  図２
2006159786.tif 000002
【特許請求の範囲】
【請求項１】
平面矩形のベース上に、モータによって回転駆動する切断刃を備えた本体を設けると共に、前記ベースにおける切断方向と平行な側辺際に、前記側辺と平行な平行定規の連結バーを挿脱可能な装着部と、その装着部に上方から螺合されてねじ込みにより前記連結バーを押圧固定するロックネジと、そのロックネジを回転操作するレバーとを設けた切断機であって、
前記ロックネジを、前記装着部へのねじ込み方向と反対方向で、且つ前記装着部に前記連結バーを押圧固定しない状態では、前記レバーが平面視で前記側辺よりも内側となる収納位置に回転付勢する回転付勢手段を設けたことを特徴とする切断機。
【請求項２】
ベース上に、ロックネジにより連結バーを押圧固定する操作方向での所定位置と、その反対側の収納位置とで夫々レバーに当接してその回転を規制する規制部を設けた請求項１に記載の切断機。
【発明の詳細な説明】
【技術分野】
【０００１】
本発明は、平面矩形のベース上に、モータによって回転駆動する切断刃を備えた本体を設け、ベースに、ベースの側辺と平行な平行定規を装着可能としたマルノコやカッタ等の切断機に関する。
【背景技術】
【０００２】
例えばマルノコでは、平面矩形のベース上に、モータによって回転駆動する円盤状の鋸刃（切断刃）を備えた本体を設け、ベースの下方に鋸刃を突出させて、被切断材上でベースをスライドさせることで鋸刃による被切断材の切断が可能となっている。また、ベースには、切断方向の側辺と平行な平行定規が装着可能となっており、例えばベースに装着した平行定規を被切断材の側面に沿ってスライドさせてベースを案内させることで、当該側面と所定間隔をおいた平行な切断が行えるようになっている。
この平行定規とベースとの装着構造としては、特許文献１，２に開示のように、平行定規へ直交状に連設した連結バーを、ベースに設けた装着部に差し込み、その装着部に設けたツマミネジで連結バーを上方から押圧固定することで、当該位置での平行定規の固定を可能とする構造がよく用いられている。ツマミネジを緩めると、連結バーと共に平行定規をスライドさせて、ベースからの距離を調整可能となる。また、ツマミネジに代えて、連結バーを押圧固定するロックネジの頭部にレバーを連結し、レバーの回転操作によって連結バーの押圧固定とその解除とを行う構造も知られている。
【０００３】
【特許文献１】特開２００２−３７０２０３号公報
【特許文献２】特開２００４−９２９７号公報
【発明の開示】
【発明が解決しようとする課題】
【０００４】
ツマミネジのねじ込みによる構造では、平行定規の調整に伴うツマミネジの回転操作が面倒で操作性が良くない上、締付量が常に一定になるとは限らないため、締め過ぎによってベースの装着部や連結バーが損傷するおそれも生じる。そこで、レバーであれば、操作量がツマミネジに比べて少なく、操作性は良くなるが、通常は平行定規の装着状態でレバーが平面視でベース上に納まるようにねじ込み位置が設定されるため、平行定規を使用しない状態では、弛み方向へ回転したレバーがベースの側辺から横向きに突出しやすく、作業の邪魔になる。特に、当該側辺を壁や当て板等に当接させてベースをスライドさせる際にはいちいちレバーをベースの内側へ押し戻す必要があり、使い勝手を大きく損なってしまう。
【０００５】
そこで、本発明は、平行定規の装着にレバー構造を採用して平行定規の着脱に係る操作性を維持しつつ、平行定規を使用しない状態でもレバーが邪魔になることがなく、使い勝手に優れる切断機を提供することを目的としたものである。
【課題を解決するための手段】
【０００６】
上記目的を達成するために、請求項１に記載の発明は、ロックネジを、装着へのねじ込み方向と反対方向で、且つ装着部に連結バーを押圧固定しない状態では、レバーが平面視でベースの側辺よりも内側となる収納位置に回転付勢する回転付勢手段を設けたことを特徴とするものである。
請求項２に記載の発明は、請求項１の目的に加えて、レバーの操作性の向上を図ると共に、装着部の破損やロックネジの脱却等を効果的に防止するために、ベース上に、ロックネジにより連結バーを押圧固定する操作方向での所定位置と、その反対側の収納位置とで夫々レバーに当接してその回転を規制する規制部を設けたものである。
【発明の効果】
【０００７】
請求項１に記載の発明によれば、平行定規を使用しない状態では、レバーは平面視で常にベース側辺よりも内側にあってベース平面上に納まる。よって、レバーが作業の邪魔になることがなく、ベースにおける当該側の側辺も切断のガイドとして使用でき、良好な使い勝手が得られる。
請求項２に記載の発明によれば、請求項１の効果に加えて、操作性がより良好になると共に、ロックネジの締め過ぎによる装着部や連結バーの損傷や、ロックネジの弛み過ぎによる装着部からの脱却等も効果的に防止可能となる。
【発明を実施するための最良の形態】
【０００８】
以下、本発明の実施の形態を図面に基づいて説明する。
図１は切断機の一例であるマルノコの平面図で、マルノコ１は、平面矩形のベース２上に、モータ駆動で回転する鋸刃４を切断方向（図１の上下方向）に備えてベース２の下方に突出させた本体３を設置してなる。本体３は、モータを収容したモータハウジング５と、モータハウジング５に連結され、モータハウジング５と合わせてハンドル６を形成するハンドルハウジング７と、鋸刃４の上部を覆うブレードケース８とから形成される。ブレードケース８は、切断方向の前方側（図１の上側）が、平面コ字状の連結板９に軸１０によって上下方向へ回転可能に軸着されており、その連結板９は、ベース２上に左右方向へ立設されて図示しない円弧状のガイド溝を有する扇状のガイド板１１に、ツマミネジ１２によってガイド溝に沿った任意の位置で固定可能に連結されている。
一方、ブレードケース８の後方側では、同様に図示しない円弧状のガイド溝を有する円弧状のガイド板１３が、ベース２上で左右方向へ立設されて、そのガイド板１３に、前方へ向かって円弧状にカーブするデプスガイド１４の下端が、ツマミネジ１５によってガイド溝に沿った任意の位置で固定可能に連結されている。
【０００９】
このデプスガイド１４の上方部分が、ブレードケース８内へその内周面に沿って挿入されていることから、前後のガイド板１１，１３における連結板９とデプスガイド１４との固定位置を変更することで、本体３を、鋸刃４がベース２と直交する直角位置から、右側へ倒伏して鋸刃４がベース２から４５°の角度で傾斜する最大傾斜位置までの任意の傾斜角度で固定して、いわゆる傾斜切断が可能となる。なお、ベース２の前端には、鋸刃４の直角位置と４５°位置で側縁が夫々鋸刃４の延長面上に位置する切込み１６，１６が形成されており、被切断材の上面に表記した墨線に切込み１６，１６の側縁を合わせることで、墨線に沿った切断が容易に可能となっている。
また、ブレードケース８の後端外周には、デプスガイド１４と一体的に固定されるクランプ状態と、デプスガイド１４に沿ってブレードケース８の後端が摺動可能となるアンクランプ状態とを切替可能とするクランプ機構１７が設けられている。よって、デプスガイド１４に沿ったブレードケース８のクランプ位置を変更することで、軸１０を中心として本体３を上下方向へ回転させて、鋸刃４のベース２下方への突出量（切込量）が調整可能となっている。
【００１０】
一方、ベース２の切断方向に沿った左右の側辺際で前方側には、図２にも示すように、平行定規４０の連結バー４１（図３）を差し込み可能な凸状の装着部１８，１８が夫々形成されており、このうち左側の装着部１８には、連結バー４１のロック機構２０が設けられている。このロック機構２０は、装着部１８に上方から螺合されて下端を下方へ突出させるロックネジ２１と、そのロックネジ２１の上方部位へ連結されるレバー２２と、ロックネジ２１へ同軸で外装され、装着部１８とレバー２２との間に配置される回転付勢手段としてのトーションスプリング２３とからなる。
【００１１】
レバー２２は、ロックネジ２１の上方部位に螺合し、上部が小径で下部が大径となる二段形状の下ナット２４と、その下ナット２４に上方から嵌着され、ロックネジ２１の上端に螺合された上ナット２５によって抜け止め固定されるレバー部２６とからなり、レバー部２６は、トーションスプリング２３の外側を覆うように下方まで垂下されて、トーションスプリング２３の上端２７がその内面に係止されている。トーションスプリング２３の下端２８は、ベース２上に突設された規制部２９に係止されていることから、レバー２２及びロックネジ２１には、平面視で左回転方向（ロックネジ２１の弛み方向）への回転付勢が加わることになる。但し、レバー部２６は、自由端側の側面に凹設された凹部３０が規制部２９と当接する図２の収納位置で左回転が規制されるようになっている。
【００１２】
また、ベース２上において、装着部１８を挟んだ規制部２９の反対側には、ロックネジ２１をねじ込むレバー２２の右回転時にレバー部２６と当接してその右回転を規制する第２規制部３１が立設されている。ここでは、通常は第２規制部３１に当接する若干手前で連結バー４１をロックできるようにレバー部２６の位置が調整されていることから、第２規制部３１は、必要以上の力でレバー部２６を回転させて装着部１８を破損させることを防止するために使用される。なお、レバー部２６の位置の調整は、上ナット２５と下ナット２４との締め込み調整によって行われる。
【００１３】
以上の如く構成されたマルノコ１においては、平行定規４０を使用しない状態では、レバー２２はトーションスプリング２３の付勢によって、レバー部２６が規制部２９に当接する図１，２の収納位置にあって、平面視でベース２の左側辺よりも内側に納まる。そして、平行定規４０を使用する際には、図３に示すように、平行定規４０の連結バー４１を、例えばベース２の右側の装着部１８から差し込み、左側の装着部１８を通して左側へ突出させて、平行定規４０の位置を調整する。平行定規４０の位置が決定されると、レバー２２を右回転させる。すると、ロックネジ２１が装着部１８にねじ込まれて下端が連結バー４１の上面を押圧し、当該位置で平行定規４０をロックする。よって、平行定規４０を被切断材の側面に当接させてそのままベース２をスライドさせると、平行定規４０と鋸刃４との設定距離を維持したまま、鋸刃４により当該側面と平行な切断が可能となる。
【００１４】
切断作業が終わって平行定規４０を取り外す際は、レバー２２を左回転させれば、ロックネジ２１が緩められて連結バー４１の押圧を解除するため、連結バー４１を装着部１８，１８から抜き取ることができる。このとき、トーションスプリング２３の付勢によって、レバー２２は自動的に図１，２の収納位置へ復帰することになる。
【００１５】
このように上記形態のマルノコ１によれば、ロックネジ２１を、装着部１８へのねじ込み方向と反対方向で、且つ装着部１８に連結バー４１を押圧固定しない状態では、レバー２２が平面視でベース２の側辺よりも内側となる収納位置に回転付勢するトーションスプリング２３を設けたことで、平行定規４０を使用しない状態では、レバー２２は平面視で常に側辺よりも内側にあってベース２の平面上に納まる。よって、レバー２２が作業の邪魔になることがなく、ベース２における当該側の側辺も切断のガイドとして使用でき、良好な使い勝手が得られる。
また、ベース２上に、ロックネジ２１により連結バー４１を押圧固定する操作方向での所定位置と、その反対側の収納位置とで夫々レバー２２に当接してその回転を規制する規制部２９と第２規制部３１とを設けたことで、操作性がより良好になると共に、ロックネジ２１の締め過ぎによる装着部１８や連結バー４１の損傷や、ロックネジ２１の弛み過ぎによる装着部１８からの脱却等も効果的に防止可能となる。
【００１６】
なお、上記形態では、ベースの左側の側辺際の装着部にロック機構を設けているが、右側であっても良いし、左右両側の装着部に設けても差し支えない。また、レバーの構造も、上記形態のような上下のナットによってレバー部をロックネジに固定する構造に限らず、レバーが直接ロックネジに溶接等で固定される構造とする等、適宜設計変更可能である。そして、回転付勢手段も、トーションスプリングに限らず、ロックネジから放射状に突設したピン等の突片をコイルバネや板バネ等で付勢することでロックネジを回転付勢する構造等も採用できる。
【００１７】
さらに、規制部の構造も、例えば上記形態の第２規制部を、連結バーがロックされる押圧固定位置でレバー部と当接するように設ける等、適宜設計変更可能で、上記形態のようにレバーの自由端側と当接する位置に設けるのに限らず、例えば装着部の上面に突設して、レバー部の基端側の内面に設けた突起との干渉によって回転規制を図るようにしても良い。勿論規制部がなくても回転付勢手段による収納位置への誘導が可能であれば、規制部を省略することもできる。
一方、マルノコ自体の構造も、例えば傾斜切断ができないマルノコに本発明を採用したりしても差し支えなく、その他マルノコ以外にカッタ等の切断機にも本発明は適用可能である。
【図面の簡単な説明】
【００１８】
【図１】マルノコの平面図である。
【図２】ロック機構の説明図で、上がトーションスプリングと上ナットとの間での横断面、下が切断方向でのロックネジの中央縦断面を夫々示す。
【図３】平行定規を装着したマルノコの平面図である。
【符号の説明】
【００１９】
１‥マルノコ、２‥ベース、３‥本体、４‥鋸刃、８‥ブレードケース、１４‥デプスガイド、１８‥装着部、２０‥ロック機構、２１‥ロックネジ、２２‥レバー、２３‥トーションスプリング、２４‥下ナット、２５‥上ナット、２６‥レバー部、２９‥規制部、３１‥第２規制部、４０‥平行定規、４１‥連結バー。
【図１】
2006159786.tif 000003
【図２】
2006159786.tif 000004
【図３】
2006159786.tif 000005